(57)【特許請求の範囲】
【請求項１】
筐体内に形成される送風ダクトと、前記送風ダクト内に配される送風ファンと、前記送風ダクト内の気流を加熱するヒータと、前記送風ダクトに接続されるホースと、前記ホースに連結される連結口と気流の吹出口とを有した着脱可能なノズルとを備え、前記ノズルが、下流側を所定の第１方向に漸次拡幅して先端に前記吹出口を開口する拡幅部と、前記拡幅部の内部または上流に配されるとともに第１方向に直交する第２方向に漸次狭幅して流路を絞る絞り部とを有し、前記吹出口の開口面積が前記連結口の開口面積よりも小さく、前記拡幅部の第１方向に対向する外壁が下流側にいくにつれて互いに離れるように傾斜し、前記絞り部の第２方向に対向する外壁が下流側にいくにつれて互いに近づくように傾斜し、
前記第１方向を水平に配して前記ノズルを敷き布団と掛け布団との間に挿入し、前記拡幅部によって温風が水平方向に広げられて敷き布団と掛け布団との間に行き渡ることにより布団乾燥を行うことを特徴とする布団乾燥機。
【請求項２】
前記吹出口が第１方向の両側端部で側方に向けて開口することを特徴とする請求項１に記載の布団乾燥機。
【請求項３】
前記拡幅部が第１方向の中央部に立設されるリブを有し、前記リブが前記連結口の法線方向に延びるとともに前記ノズルの第２方向に対向する内壁間に橋架されることを特徴とする請求項１または請求項２に記載の布団乾燥機。
【請求項４】
前記ホースが曲げ形状を保持する蛇腹状に形成されるとともに、前記ノズルが前記ホースに嵌合して周方向に回転可能であることを特徴とする請求項１〜請求項３のいずれかに記載の布団乾燥機。
【請求項５】
前記ノズル及び前記ホースの一方が径方向に傾倒可能な係止爪を外周面に有し、他方の外周面に前記係止爪が係止される環状の溝部を設けたことを特徴とする請求項４に記載の布団乾燥機。
【発明の詳細な説明】
【技術分野】
【０００１】
本発明は、温風を送出して布団を乾燥させる布団乾燥機に関する。
【背景技術】
【０００２】
従来の布団乾燥機は特許文献１に開示されている。この布団乾燥機は筐体内に送風ダクトが形成され、送風ダクトの内部に送風ファン及びヒータが配される。送風ダクトには筐体から引き出し可能な可撓性のホースが接続される。また、布団乾燥機は通気性を有した袋状の乾燥マットを備えている。
【０００３】
上記構成の布団乾燥機において、敷き布団と掛け布団との間に乾燥マットを敷き、送風ファン及びヒータを駆動してホースから乾燥マットの内部に温風が送出される。通気性を有する乾燥マットの表面を通過した温風によって敷き布団及び掛け布団の乾燥が行われる。布団乾燥が終了すると、乾燥マットが折り畳んで収納される。
【先行技術文献】
【特許文献】
【０００４】
【特許文献１】特許第５５５６１６９号公報（第３頁−第７頁、第１図）
【発明の概要】
【発明が解決しようとする課題】
【０００５】
しかしながら、上記従来の布団乾燥機によると、敷き布団上に乾燥マットを敷いてホースから温風を供給し、布団乾燥が終了すると乾燥マットが折り畳んで収納される。このため、乾燥マットの出し入れが煩雑で布団乾燥機の利便性が悪い問題があった。
【０００６】
本発明は、利便性を向上できる布団乾燥機を提供することを目的とする。
【課題を解決するための手段】
【０００７】
上記目的を達成するために本発明は、筐体内に形成される送風ダクトと、前記送風ダクト内に配される送風ファンと、前記送風ダクト内の気流を加熱するヒータと、前記送風ダクトに接続されるホースと、前記ホースに連結される連結口と気流の吹出口とを有した着脱可能なノズルとを備え、前記ノズルが、下流側を所定の第１方向に漸次拡幅して先端に前記吹出口を開口する拡幅部と、前記拡幅部の内部または上流に配されるとともに第１方向に直交する第２方向に漸次狭幅して流路を絞る絞り部とを有し、前記吹出口の開口面積が前記連結口の開口面積よりも小さく、前記拡幅部の第１方向に対向する外壁が下流側にいくにつれて互いに離れるように傾斜し、前記絞り部の第２方向に対向する外壁が下流側にいくにつれて互いに近づくように傾斜し、
前記ノズルを前記第１方向を水平に配して敷き布団と掛け布団との間に挿入し、前記拡幅部によって温風が水平方向に広げられて敷き布団と掛け布団との間に行き渡ることにより布団乾燥を行うことを特徴としている。
【０００８】
この構成によると、敷き布団と掛け布団との間にノズルが挿入され、送風ファン及びヒータが駆動される。送風ダクトを流通する気流はヒータにより加熱され、ホースに接続したノズルの先端の吹出口から敷き布団と掛け布団との間に温風を送出して布団乾燥が行われる。この時、ノズルが拡幅部により第１方向に漸次広げられるため温風が側方に広がり、吹出口の開口面積が連結口よりも小さく形成されるため温風の流速が大きくなる。これにより、広い範囲に温風が行き渡って布団が乾燥される。
【０００９】
また本発明は、上記構成の布団乾燥機において、前記吹出口が第１方向の両側端部で側方に向けて開口することを特徴としている。
【００１０】
また本発明は、上記構成の布団乾燥機において、前記拡幅部が第１方向の中央部に立設されるリブを有し、前記リブが前記連結口の法線方向に延びるとともに前記ノズルの第２方向に対向する内壁間に橋架されることを特徴としている。
【００１１】
また本発明は、上記構成の布団乾燥機において、前記ノズルが第１方向に対向する両側壁に通気孔を有することを特徴としている。
【００１２】
また本発明は、上記構成の布団乾燥機において、前記ノズルが下流側を第２方向に漸次狭幅される絞り部と、前記絞り部の下流で第２方向に対向する内壁が平行な平行部とを有することを特徴としている。
【００１３】
また本発明は、上記構成の布団乾燥機において、前記ホースが曲げ形状を保持する蛇腹状に形成されるとともに、前記ノズルが前記ホースに嵌合して周方向に回転可能であることを特徴としている。
【００１４】
また本発明は、上記構成の布団乾燥機において、前記ノズル及び前記ホースの一方が径方向に傾倒可能な係止爪を外周面に有し、他方の外周面に前記係止爪が係止される環状の溝部を設けたことを特徴としている。
【００１５】
また本発明は、上記構成の布団乾燥機において、前記送風ダクト内に放出するイオンを発生するイオン発生装置を備えたことを特徴としている。
【発明の効果】
【００１６】
本発明によると、ノズルが第１方向に漸次拡幅して第１方向に直交する第２方向に絞られ、吹出口の開口面積が連結口の開口面積よりも小さいので、流速の大きい温風が側方に広がって敷き布団と掛け布団との間に送出される。従って、乾燥マットを使用せずに布団乾燥を行うことができ、布団乾燥機の利便性を向上することができる。
【図面の簡単な説明】
【００１７】
【図１】本発明の第１実施形態の布団乾燥機を前方から見た斜視図
【図２】本発明の第１実施形態の布団乾燥機を後方から見た斜視図
【図３】本発明の第１実施形態の布団乾燥機の側面断面図
【図４】本発明の第１実施形態の布団乾燥機のノズル装着時の斜視図
【図５】本発明の第１実施形態の布団乾燥機のノズルの斜視図
【図６】本発明の第１実施形態の布団乾燥機のノズルの上面図
【図７】本発明の第１実施形態の布団乾燥機のノズルの側面断面図
【図８】本発明の第１実施形態の布団乾燥機のノズルの正面図
【図９】本発明の第１実施形態の布団乾燥機のノズルを使用した布団乾燥時の状態を示す図
【図１０】本発明の第１実施形態の布団乾燥機の乾燥マットを使用した布団乾燥時の状態を示す図
【図１１】本発明の第１実施形態の布団乾燥機のノズルを使用した衣類乾燥時の状態を示す図
【図１２】本発明の第２実施形態の布団乾燥機のノズルの斜視図
【図１３】本発明の第３実施形態の布団乾燥機のノズルの側面断面図
【発明を実施するための形態】
【００１８】
＜第１実施形態＞
以下に図面を参照して本発明の実施形態を説明する。図１、図２は第１実施形態の布団乾燥機の前方から見た斜視図及び後方から見た斜視図を示している。布団乾燥機１は床面等に設置される筐体２の上面に操作パネル５が配され、背面に電源コード６が導出される。
【００１９】
筐体２の一側面の下部には吸込口４が設けられ、上部には筐体２を持ち運ぶ際に把持される把手部２ｂが凹設される。筐体２の前面の下部には後述する収納部３（図３参照）を開閉する蓋部３ａが設けられる。筐体２の前面の上部にはホース１５が導出される開口部２ａが開口する。
【００２０】
ホース１５は可撓性を有し、開口部２ａから引き出される引出し長が可変になっている。本実施形態ではホース１５は樹脂成形品によって曲げ形状を保持可能な蛇腹状に形成され、伸縮によって開口部２ａからの引出し長が可変される。ホース１５の外径は使用者が容易に把持して引き出せるように、例えばφ５０ｍｍ〜φ１００ｍｍ程度に形成される。
【００２１】
図３は布団乾燥機１の側面断面図を示している。筐体２内の下部前方にはノズル２０（図５参照）や乾燥マット７（図１０参照）を収納する収納部３が設けられる。収納部３の前面の蓋部３ａを開閉してノズル２０（図４参照）や乾燥マット７（図１０参照）が出し入れされる。
【００２２】
乾燥マット７は通気性を有した袋状に形成され、収納部３に折り畳んで収納して使用時に広げられる。乾燥マット７の一端部にはホース１５の接続口７ａ（図１０参照）が設けられ、後述するようにホース１５から温風が供給される。
【００２３】
筐体２内の後部には上下方向に延びる送風ダクト１１が形成される。送風ダクト１１の下部には送風ファン１２が配される。送風ファン１２はシロッコファンから成り、吸気口（不図示）を吸込口４（図２参照）に対向して配される。送風ダクト１１の上端には気流の流出口１１ａが開口し、流出口１１ａにホース１５が連結される。
【００２４】
送風ダクト１１の送風ファン１２と流出口１１ａとの間にはヒータ１３が配される。ヒータ１３によって送風ダクト１１を流通する気流が加熱され、ホース１５の先端のホース吹出口１５ａを介して温風が送出される。
【００２５】
また、筐体２内には送風ダクト１１内に放出するイオンを発生するイオン発生装置１４が配される。イオン発生装置１４は送風ダクト１１に面した一対の放電電極（不図示）を有している。放電電極は交流波形またはインパルス波形から成る高電圧の印加によってコロナ放電が発生する。
【００２６】
一方の放電電極には正電圧が印加され、コロナ放電により空気中の水分子が電離して水素イオンが生成される。この水素イオンが溶媒和エネルギーにより空気中の水分子とクラスタリングする。これにより、Ｈ+（Ｈ2Ｏ）ｍ（ｍは０または任意の自然数）から成る空気イオンのプラスイオンが放出される。
【００２７】
他方の放電電極には負電圧が印加され、コロナ放電により空気中の酸素分子または水分子が電離して酸素イオンが生成される。この酸素イオンが溶媒和エネルギーにより空気中の水分子とクラスタリングする。これにより、Ｏ2-（Ｈ2Ｏ）ｎ（ｎは任意の自然数）から成る空気イオンのマイナスイオンが放出される。
【００２８】
Ｈ+（Ｈ2Ｏ）ｍ及びＯ2-（Ｈ2Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、ホース１５を介してプラスイオン及びマイナスイオンを送出することにより、布団等の殺菌及び臭い除去を行うことができる。
【００２９】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３０】
布団乾燥機１は前述の図２に示すようにホース１５から温風を送出できるとともに、図４に示すようにホース１５の先端に連結したノズル２０から温風を送出することができる。
【００３１】
図５、図６、図７、図８はそれぞれノズル２０の斜視図、上面図、側面断面図及び正面図を示している。尚、図７は図６のＡ−Ａ断面の側面断面図になっている。ノズル２０はホース１５の先端に着脱可能になっており、ホース１５に嵌合して連結口２０ｃを開口した嵌合部２１が一端に設けられる。
【００３２】
嵌合部２１はホース１５の先端に外嵌され、径方向に傾倒可能な係止爪２２が外周面に設けられる。ホース１５の先端部の外周面に形成される環状の溝部１５ａ（図３参照）に係止爪２２を係止してノズル２０が取り付けられる。この時、ノズル２０は前述の図４に破線２０’で示すように周方向に回転可能に接続される。
【００３３】
ノズル２０の嵌合部２１の下流側には拡幅部２３が設けられる。拡幅部２３は下流側を図中、Ｘ方向（第１方向）に漸次拡幅され、先端にノズル吹出口２０ａ（吹出口）を開口する。また、拡幅部２３には絞り部２４及び平行部２５が設けられる。絞り部２４は下流側をＸ方向に直交するＺ方向（第２方向）に漸次狭幅され、ノズル２０の流路を絞る。平行部２５は絞り部２４の下流に形成され、ノズル２０のＺ方向に対向する内壁が平行に形成される。
【００３４】
これにより、ノズル吹出口２０ａは扁平形状に形成され、ノズル吹出口２０ａの開口面積が連結口２０ｃの開口面積よりも小さくなっている。このため、ノズル２０を流通する気流は拡幅部２３によりＸ方向に漸次広げられるため側方に広がり、ノズル吹出口２０ａの開口面積が狭められるため流速が大きくなる。尚、絞り部２４及び平行部２５が拡幅部２３内に形成されるが、平行部２５を有した拡幅部２３を絞り部２４の下流に形成してもよい。
【００３５】
また、拡幅部２３の先端の上面形状が所定の曲率半径で湾曲し、Ｘ方向の両端部で曲率半径が小さくなっている。このため、ノズル吹出口２０ａの両側端部２０ｂは側方に向けて開口する。
【００３６】
拡幅部２３内にはＸ方向の中央部に立設されるリブ２６が設けられる。リブ２６は連結口２０ｃの法線方向に延び、ノズル２０のＺ方向に対向する内壁間に橋架される。これにより、ノズル２０を流通する気流がリブ２６及び両側壁により案内され、ノズル吹出口２０ａから気流を円滑に広げて前方に送出することができる。この時、リブ２６を放射状に複数設けると流路抵抗が大きくなるため、本実施形態では１本のリブ２６をＸ方向の中央部に設けている。
【００３７】
上記構成の布団乾燥機１において、送風ファン１２、ヒータ１３及びイオン発生装置１４が駆動されると、吸込口４から送風ダクト１１内に外気が流入する。送風ダクト１１を流通する気流はヒータ１３により加熱され、イオン発生装置１４で発生したイオンが含まれる。そして、イオンを含む温風がホース吹出口１５ａやノズル吹出口２０ａから送出される。
【００３８】
図９は布団乾燥機１によるノズル２０を使用した布団乾燥時の状態を示す図である。ホース１５の先端に取り付けられたノズル２０はノズル吹出口２０ａの長手方向（Ｘ方向）を水平に配して敷き布団３１と掛け布団３２との間に挿入される。ノズル吹出口２０ａから送出される温風はノズル２０によって絞られるため流速が大きく、拡幅部２３によって水平方向に広げられる。これにより、敷き布団３１と掛け布団３２との間の広い範囲に温風が行き渡り、敷き布団３１及び掛け布団３２の乾燥が行われるとともにイオンによる殺菌や脱臭が行われる。
【００３９】
また、ノズル２０は絞り部２４によって先端側を上下方向（Ｚ方向）に狭く形成されるため、ノズル吹出口２０ａの前面が湿気を含む掛け布団３２によって塞がれる場合がある。この時、ノズル２０の側方には敷き布団３１と掛け布団３２との間に空間が形成されるため、ノズル吹出口２０ａの側端部２０ｂから側方の空間に向けて温風が送出される。側端部２０ｂから送出された温風は敷き布団３１と掛け布団３２との間を押し広げて前方に進行する。従って、ノズル吹出口２０ａの前面が塞がれた場合でも、送風ファン１２の負荷を軽減することができる。
【００４０】
尚、Ｚ方向に対向する内壁が平行な平行部２５が絞り部２４の下流に設けられるため、掛け布団３２が平行部２５上で水平に配されてノズル２０の前方で傾斜する。これにより、掛け布団３２によるノズル吹出口２０ａの前面の閉塞を抑制することができる。
【００４１】
図１０は布団乾燥機１による乾燥マット７を使用した布団乾燥時の状態を示す図である。敷き布団３１（図９参照）上には乾燥マット７が広げて敷かれ、接続口７ａにホース１５の先端を接続して乾燥マット７上に掛け布団３２が敷かれる。ホース吹出口１５ａから送出される温風は通気性の乾燥マット７の表面を通過して全面から吹き出される。これにより、敷き布団３１及び掛け布団３２の乾燥が行われるとともにイオンによる殺菌や脱臭が行われる。
【００４２】
図１１は布団乾燥機１による衣類乾燥時の状態を示す図である。ホース１５の先端にノズル２０を取り付け、室内や箪笥等に掛けられた衣類３３に向けてノズル吹出口２０ａから温風を送出する。これにより、衣類３３の乾燥や殺菌を行うことができる。また、箪笥等の内部の殺菌も行うことができる。
【００４３】
この時、衣類３３が一枚の場合等で衣類３３の水平方向の幅が狭い場合には、ノズル２０を周方向に回転して前述の図４に示すようにノズル吹出口２０ａを縦方向に延びるように配置するとよい。これにより、幅の狭い衣類３３に集中してイオンを含む温風を当てることができる。
【００４４】
また、布団乾燥機１によって室内に温風及びイオンを送出して室内の暖房や殺菌を行うことができる。
【００４５】
次に、乾燥マット７を使用した布団乾燥とノズル２０を使用した布団乾燥の乾燥性能を調べた。試料は敷き布団３１上に１００ｇの水を噴霧し、掛け布団３２を二重に敷いて下方の掛け布団上に１００ｇの水を噴霧した（合計２００ｇ）。ノズル吹出口２０ａから送出される温風の風量は約０．８ｍ3／分、温度は約５２℃であり、乾燥時間は６０分である。乾燥前後の試料の重量差によって乾燥性能を調べた。
【００４６】
また、ノズル２０の連結口２０ｃの直径Ｄはφ６４ｍｍ、ノズル吹出口２０ａのＸ方向の幅Ｗは１２５ｍｍ、ノズル吹出口２０ａのＺ方向の高さＨは１５ｍｍ、ノズル２０のＹ方向の長さＬは１１０ｍｍである。
【００４７】
これによると、乾燥前後の試料の重量差の平均値は乾燥マット７の使用時に１８８ｇ（乾燥率９４％）であり、ノズル２０の使用時に１７２ｇ（乾燥率８６％）であった。従って、ノズル２０を使用した布団乾燥は乾燥マット７を使用した布団乾燥に対して９０％以上の乾燥性能を得ることができた。
【００４８】
このため、使用者の選択によってノズル２０により簡易な布団乾燥を行うことができるとともに、乾燥マット７により隅々まで確実な布団乾燥を行うこともできる。
【００４９】
本実施形態によると、ノズル２０が拡幅部２３によりＸ方向（第１方向）に漸次拡幅してＸ方向に直交するＺ方向（第２方向）に絞られ、ノズル吹出口２０ａ（吹出口）の開口面積が連結口２０ｃの開口面積よりも小さい。このため、流速の大きい温風が側方に広がって敷き布団３１と掛け布団３２との間に送出される。従って、乾燥マット７を使用せずに布団乾燥を行うことができ、布団乾燥機１の利便性を向上することができる。
【００５０】
また、ノズル吹出口２０ａがＸ方向の両側端部２０ｂで側方に向けて開口するので、ノズル吹出口２０ａの前面が掛け布団３２により塞がれた場合でも送風ファン１２の負荷を軽減することができる。
【００５１】
また、拡幅部２３がＸ方向の中央部に立設されるリブ２６を有し、リブ２６が連結口２０ｃの法線方向に延びてノズル２０のＺ方向に対向する内壁間に橋架される。これにより、ノズル吹出口２０ａから気流を円滑に広げて前方に送出することができる。また、リブ２６が１本のため流路抵抗の増加を抑制することができる。
【００５２】
また、ノズル２０が下流側をＺ方向に漸次狭幅される絞り部２４と、絞り部２４の下流でＺ方向に対向する内壁が平行な平行部２５とを有する。これにより、ノズル吹出口２０ａの開口面積が連結口２０ｃの開口面積よりも小さいノズル２０を容易に実現することができる。また、平行部２５によってノズル吹出口２０ａの前面が掛け布団３２により塞がれることを抑制でき、送風ファン１２の負荷をより軽減することができる。
【００５３】
また、ホース１５が曲げ形状を保持する蛇腹状に形成され、ノズル２０の嵌合部２１がホース１５に嵌合して周方向に回転可能である。このため、ホース１５を上方に向けて衣類３３等の乾燥を容易に行うことができる。また、ノズル吹出口２０ａを縦方向に延びるように配置し、水平方向の幅の狭い衣類３３に集中して温風を当てて乾燥時間を削減することができる。
【００５４】
また、ノズル２０が径方向に傾倒可能な係止爪２２を外周面に有し、ホース１５の外周面に係止爪２２が係止される環状の溝部１５ｂを設けたので、周方向に回転するノズル２０を容易に実現することができる。尚、ノズル２０がホース１５に内嵌し、ホース１５の外周面に設けた係止爪がノズル２０の外周面に設けた溝部に係止されるように形成してもよい。
【００５５】
また、送風ダクト１１内に放出するイオンを発生するイオン発生装置１４を備えたので、布団や衣類３３等の殺菌を容易に行うことができる。
【００５６】
＜第２実施形態＞
次に、図１２は第２実施形態の布団乾燥機１のノズル２０の斜視図を示している。説明の便宜上、前述の図１〜図１１に示す第１実施形態と同様の部分には同一の符号を付している。本実施形態は第１実施形態に対してノズル２０に通気孔２７が設けられる。その他の部分は第１実施形態と同様である。
【００５７】
通気孔２７はノズル２０の拡幅部２３のＸ方向（図８参照）に対向する両側壁にそれぞれ設けられる。このため、ノズル吹出口２０ａ（図７参照）の前面が掛け布団３２（図９参照）により塞がれた場合に、通気孔２７からノズル２０の側方の空間に向けて温風が送出される。従って、送風ファン１２の負荷をより低減することができる。
【００５８】
＜第３実施形態＞
次に、図１３は第３実施形態の布団乾燥機１のノズル２０の側面断面図を示している。説明の便宜上、前述の図１〜図１１に示す第１実施形態と同様の部分には同一の符号を付している。本実施形態は第１実施形態に対して平行部２５（図７参照）を省いている。その他の部分は第１実施形態と同様である。
【００５９】
ノズル２０の拡幅部２３は嵌合部２１に隣接して下流側をＸ方向（図６参照）に漸次拡幅され、先端にノズル吹出口２０ａを開口する。また、絞り部２４は嵌合部２１に隣接して下流側をＺ方向に漸次狭幅され、先端にノズル吹出口２０ａを開口する。これにより、絞り部２４は拡幅部２３によって形成され、ノズル吹出口２０ａの開口面積は連結口２０ｃの開口面積よりも小さくなっている。
【００６０】
従って、第１実施形態と同様の効果を得ることができる。この時、絞り部２４のＺ方向に対向する壁面が傾斜するため、絞り部２４上に配される掛け布団３２によってノズル吹出口２０ａの前面が塞がれ易くなる。このため、前述の第１実施形態に示すように絞り部２４の下流に平行部２５を設けるとより望ましい。
【００６１】
本実施形態において、ノズル２０に第２実施形態と同様の通気孔２７（図１２参照）を設けてもよい。
【００６２】
尚、第１〜第３実施形態において、ノズル２０がホース１５の先端に連結されるが、ホース１５を省いてノズル２０を直接送風ダクト１１に連結してもよい。即ち、筐体２の下部に開口部２ａを配置して送風ダクト１１の下流端を開口部２ａまで延設し、開口部２ａにノズル２０を連結する。これにより、筐体２の下部から突出するノズル２０を敷き布団３１と掛け布団３２との間に挿入して布団乾燥を行うことができる。
【産業上の利用可能性】
【００６３】
本発明によると、温風を送出して布団を乾燥させる布団乾燥機に利用することができる。
【符号の説明】
【００６４】
１    布団乾燥機
２    筐体
２ａ  開口部
３    収納部
３ａ  蓋部
４    吸込口
５    操作パネル
６    電源コード
７    乾燥マット
１１    送風ダクト
１２    送風ファン
１３    ヒータ
１４    イオン発生装置
１５    ホース
１５ａ  ホース吹出口
１５ｂ  溝部
２０    ノズル
２０ａ  ノズル吹出口
２０ｂ  側端部
２０ｃ  連結口
２１    嵌合部
２２    係止爪
２３    拡幅部
２４    絞り部
２５    平行部
２６    リブ
２７    通気孔
３１    敷き布団
３２    掛け布団
３３    衣類
【図１】
0006411817.tif 000002
【図２】
0006411817.tif 000003
【図３】
0006411817.tif 000004
【図４】
0006411817.tif 000005
【図５】
0006411817.tif 000006
【図６】
0006411817.tif 000007
【図７】
0006411817.tif 000008
【図８】
0006411817.tif 000009
【図９】
0006411817.tif 000010
【図１０】
0006411817.tif 000011
【図１１】
0006411817.tif 000012
【図１２】
0006411817.tif 000013
【図１３】
0006411817.tif 000014